(57)【特許請求の範囲】
【請求項１】
第１の伝送フォーマットのルミナンス入力信号を受ける入力及びクロミナンス入力信号を受ける入力と、表示用に処理された信号を供給する出力と、を含む画像プロセッサを有するテレビジョン受像機であって、
当該テレビジョン受像機は、
該第１の伝送フォーマット又は第２の伝送フォーマットの受信複合ビデオ信号を供給する信号源と、
第２の伝送フォーマットの受信複合ビデオ信号の色成分を第１の伝送フォーマットに変換するトランスコーダと、
第２の伝送フォーマットの受信信号に対して前記トランスコーダを作動可能にさせ、第１の伝送フォーマットの受信信号に対して前記トランスコーダをバイパスさせるスイッチング装置と、
を具備し、
該ルミナンス入力信号及び該クロミナンス入力信号の遅延を補償するため、該スイッチング装置は、
該第１の伝送フォーマットと該第２の伝送フォーマットの両方の受信信号に対して、複合ビデオ信号遅延ユニットを介して、画像プロセッサのルミナンス入力に受信複合ビデオ信号を供給する第１の回路と、
受信信号が第１の伝送フォーマットの信号であるとき、前記複合ビデオ信号遅延ユニット及びモードスイッチを介して、画像プロセッサのクロミナンス入力に受信複合ビデオ信号を供給する第２の回路と、
受信信号が第２の伝送フォーマットの信号であるとき、該第２の伝送フォーマットの受信複合ビデオ信号を入力で受けて、クロミナンス信号を前記トランスコーダの入力に伝達するクロミナンス信号伝送フィルタ、前記トランスコーダ及び前記モードスイッチを介して、画像プロセッサのクロミナンス入力に受信複合ビデオ信号を供給する第３の回路と、
該第２の伝送フォーマットは、ＰＡＬ−Ｍ標準規格信号及びＰＡＬ−Ｌ標準規格信号を含むＰＡＬ方式のフォーマットを包含し、
該トランスコーダは、ＰＡＬ−Ｍ標準規格とＰＡＬ−Ｎ標準規格の両方に対し動作可能な復調器を含む、
テレビジョン受像機。
【請求項２】
該トランスコーダは、１ライン分遅延したＰＡＬ−Ｍ方式入力信号及びＰＡＬ−Ｎ方式入力信号を該復調器に供給する遅延回路を更に含み、
該遅延回路は、
群遅延等化器に接続された出力を具備したＰＡＬ−Ｍ方式ライン遅延ユニットと、
該ＰＡＬ−Ｍ標準規格信号の復調のためライン遅延ユニットの出力を選択し、
該ＰＡＬ−Ｎ標準規格信号の復調のため群遅延等化器の出力を選択するスイッチと、
を含む、
請求項１記載のテレビジョン受像機。
【発明の詳細な説明】
【０００１】
【産業上の利用分野】
本発明は一般的にテレビジョン受像機に係り、特に、２種類以上の標準ビデオ信号伝送フォーマットに符号化された信号を受信し表示する多重規格適合テレビジョン受像機に関する。
【０００２】
【従来の技術】
種々の伝送規格のテレビジョン信号を受信し表示し得る多重モードテレビジョン受像機は周知である。例えば、ヒン(Hinn)は米国特許第4309719 号明細書にＰＡＬ方式及びＳＥＣＡＭ方式の信号用の２重モード受像機を記載している。ＮＴＳＣ方式と、ＰＡＬ−Ｍ方式と、ＰＡＬ−Ｎ方式を処理する３重モード受像機の一例は、リム（Lim)によって米国特許第5119177 号明細書に記載されている。
【０００３】
従来より多重規格適合受像機において、受信信号の表示走査レートに適合させるため表示走査レートを変え、受信クロミナンス信号を共通の色規格にコード変換(transcode) されている。これにより、色相及び色飽和度の制御、肌の色合いの補正等の後の色処理の段階が簡単化される利点がある。
受信色信号を共通の規格に変換するクロミナンス信号用トランスコーダを使用することは、異なる伝送規格に対し受信ルミナンス及びクロミナンス成分の間に適当な一致(registration)を得ることに関し問題を生じさせる。特に、クロミナンス信号をコード変換することにより処理の遅延が起きる。異なる動作モードにおいてルミナンス信号とクロミナンス信号の適当な一致を維持するため、受信信号がコード変換を必要とする場合に、トランスコーダによってクロミナンス信号に与えられるコード変換遅延を補償するためにルミナンス信号パスに補助的な遅延を挿入することが望ましい。何らかの形の遅延補償が設けられていない場合、異なる伝送規格のビデオ信号間のスイッチングの際に視覚的アーティファクト（例えば、色誤差）が発生する可能性がある。
【０００４】
多重モード受像機の遅延補償の問題は上述のヒンの特許明細書で認識されている問題であり、同明細書には、かかる問題を解決する可能性のある一つの解決法は、（例えば、各ビデオ伝送規格に必要とされる遅延間の中程にある）固定した「妥協的な」値の補償遅延を設けることであると記載されている。しかし、ヒンは、遅延の差が（例えば、５００ナノ秒の如く）比較的大きい場合には固定した「妥協的な」値の補償遅延に依存することにより十分な結果が得られないことを指摘している。
【０００５】
ヒンにより提案されている多重規格適合受像機における色合わせの問題に対する解決法は、ルミナンス信号チャンネルに切り替え可能な遅延を設けることである。この方法によれば、固定した「妥協的な」遅延補償の値を使用することに起因して生じる可能性のあるあらゆる誤差は完全に回避され、あらゆる伝送フォーマットのビデオ信号に対し正確な遅延補償が得られる利点がある。より詳細には、ヒンのシステムにおいて、スイッチは、一の規格から別の規格（例えば、ヒンのシステムにおいてＳＥＣＡＭ方式からＰＡＬ方式）へのクロミナンスのコード変換を必要とする信号を受信する際にルミナンス信号パスに余分な遅延を加える。コード変換を必要としないフォーマットの信号（例えば、ヒンのシステムにおけるＰＡＬ方式）に対し、遅延はルミナンスパスから切り離される。かかる遅延補償法によれば、「妥協的な」遅延の不正確さを回避し、ルミナンス及びクロミナンス信号が受信信号のフォーマット（ＰＡＬ方式又はＳＥＣＡＭ方式）に関係なく同一の遅延が確実に加えられる利点が得られる。
【０００６】
【発明が解決しようとする課題】
本発明は、適当なルミナンス／クロミナンス信号の一致は得られるが、一の伝送規格の受信信号から別の伝送規格の信号に変わる際に受像機のルミナンス信号パスにおいて一致補償遅延装置のスイッチングを必要としない多重規格適合テレビジョン受像機が要求されているという認識に一部基づいている。
【０００７】
【課題を解決するための手段】
本発明の一実施例である多重規格適合テレビジョン受像機は、第１の伝送フォーマットのルミナンス及びクロミナンス入力信号を受ける夫々の入力と、表示用の処理された信号を与える出力とを有する画像プロセッサよりなり、上記受像機は、第２のフォーマットの受信信号の色成分を第１のフォーマットに変換するトランスコーダと、第２のフォーマットの受信信号に対しトランスコーダを作動可能にさせ、第１のフォーマットの受信信号に対しトランスコーダをバイパスさせるスイッチング装置とを含む。
【０００８】
上記受像機において、ルミナンス及びクロミナンス入力信号の遅延補償を得るため、上記スイッチング装置は第１、第２及び第３の回路パスからなることを特徴とする。第１の回路パス（２０２）は、上記両方の標準伝送フォーマットの受信信号に対し受信複合ビデオ信号を複合ビデオ信号遅延器（６０）を介して画像プロセッサ（１０）のルミナンス入力（４０）に印加する。第２の回路パス（３０３）は、受信信号が第１の標準規格伝送フォーマットである場合に受信複合ビデオ信号を複合ビデオ信号遅延器（６０）とクロミナンス信号選択スイッチ（６２）とを介して画像プロセッサ（１０）のクロミナンス入力（５０）に印加し；第３の回路パス（４０４）は、受信信号が第２の標準伝送フォーマットである場合に受信複合ビデオ信号をクロミナンス信号伝送フィルタ（７０）と、クロミナンス信号トランスコーダ（８０）と、クロミナンス信号選択スイッチ（６２）とを介して画像プロセッサ（１０）のクロミナンス入力（５０）に印加する。
【０００９】
多重規格適合テレビジョン受像機における遅延補償を提供する本発明の一実施例の方法は、第１の伝送フォーマットのルミナンス及びクロミナンス入力信号を受ける夫々の入力と、表示用の処理された信号を与える出力とを有する画像プロセッサを含む形の受像機に適用される。かかる受像機は、第２のフォーマットの受信信号を第１のフォーマットに変換するトランスコーダと、第２のフォーマットの受信信号に対しトランスコーダを作動可能にし、第１のフォーマットの受信信号に対しトランスコーダをバイパスさせるスイッチング装置とを含む。
【００１０】
【作用】
本発明の一実施例の多重規格適合テレビジョン受像機において、複合ビデオ入力信号は遅延素子によって遅延させられ、遅延した複合信号は第１の伝送規格の受信信号に対し画像プロセッサのルミナンス及びクロミナンス入力に印加される。第２の伝送規格の受信信号に対し、遅延した複合信号は、画像プロセッサのルミナンス入力にだけ印加され、受信信号のクロミナンス成分は第１の伝送規格にコード変換され、複合信号遅延素子を通ることなく、画像プロセッサのクロミナンス入力に印加される。遅延素子の遅延はコード変換遅延に実質的に一致するよう選ばれ、何れかの伝送フォーマットの受信信号のルミナンス及びクロミナンス成分は、一方のフォーマットから別のフォーマットに変わる際にルミナンス成分のスイッチングを必要とすることなく遅延補償される。
【００１１】
本発明の方法においてルミナンス信号が第１の標準伝送フォーマットと第２の標準伝送フォーマットの間で変化する変動遅延をうける際に、この方法は、両方の標準伝送フォーマットの受信信号に対し、複合ビデオ信号遅延器を含む第１の回路パスを介して画像プロセッサのルミナンス入力に受信複合ビデオ信号を印加する段階を有する。受信複合ビデオ信号は、受信信号が第１の標準伝送フォーマットである場合、複合ビデオ信号遅延器とクロミナンス信号選択スイッチとを含む第２の回路パスを介して画像プロセッサのクロミナンス入力に印加される。かかる受信複合ビデオ信号は、受信信号が第２の標準伝送フォーマットである場合、クロミナンス信号伝送フィルタと、クロミナンス信号トランスコーダと、クロミナンス信号選択スイッチとを含む第３の回路パスを介して画像プロセッサのクロミナンス入力に印加される。
【００１２】
【実施例】
前述及び更なる本発明の特徴は添付図面において示され、ここで、類似する素子には類似する参照符号が付けられている。
図１の多重モードテレビジョン受像機はＮＴＳＣ方式、ＰＡＬ−Ｍ方式及びＰＡＬ−Ｎ方式フォーマットのビデオ信号の受信モードを提供する。以下に説明する如く適当なクロミナンス信号トランスコーダを選択することによりＳＥＣＡＭ方式の如くの別の伝送フォーマットに適応させることも可能である。
【００１３】
ここで使用する如く、添字「Ｍ」及び「Ｎ」は走査パラメータを指定するＣＣＩＲ勧告４７０−１に対応する。簡単に言うと、文字「Ｍ」は、５２５ライン／６０フィールド、４．２ＭＨｚの帯域幅、４．５ＭＨｚの音声搬送モノクローム方式である。文字「Ｎ」は、６２５ライン／５０フィールド、４．２ＭＨｚの帯域幅、４．５ＭＨｚの音声搬送モノクローム方式である。名称ＮＴＳＣ及びＰＡＬは、色伝送の方法に関連し、特に、副搬送波の位相が（ＰＡＬ方式の如く）ラインからラインの間で変わるか、或いは、（ＮＴＳＣ方式における如く）ラインからラインの間で一定であるかどうかに関連する。ＮＴＳＣ（Ｍ）方式は、北米及び中米の多数の国で採用されている。ＰＡＬ−Ｍ及びＰＡＬ−Ｎ規格は、夫々にブラジル及びアルゼンチンの如くの一部の南米諸国で採用されている。
【００１４】
図１の受像機はＮＴＳＣ方式のフォーマットのテレビジョン画像プロセッサ１０（点線で輪郭を描かれている）を含む。プロセッサ１０の機能は、色（クロマ）復調、色相及び色飽和度の制御、明度及びコントラストの制御、ビデオピーキング、ＲＧＢマトリクス化等の如くの従来の画像処理機能を提供することである。例えば、サンヨー社製のＬＡ７６１０形ＮＴＳＣ標準規格プロセッサの如くの画像処理機能を提供する集積回路は商業的に入手可能である。
【００１５】
テレビジョン画像プロセッサ１０の処理機能は、直接、或いは、遠隔制御ユニット１４を介してユーザコマンドを受け、かかるユーザコマンドを制御バス２０を介して画像プロセッサ１０内のルミナンスプロセッサ１６及びクロミナンスプロセッサ１８に供給する受像機制御ユニット１２（例えば、マイクロプロセッサ）によって制御される。プロセッサ１６は、明度、コントラスト、及び、ピーキングの制御の如くの機能を提供する。プロセッサ１８は、例えば、色相及び色飽和度の制御の如くの機能を提供する。バス２０は、プロセッサ１０内のマトリックス２２及びビデオ信号選択スイッチ２４に制御信号を更に供給する。スイッチ２４はＲＦ（無線周波）又は表示用ベースバンド（補助）ビデオ入力信号を選択する。マトリックス２２は、処理されたルミナンス及びクロミナンス信号（Ｙ、Ｒ−Ｙ及びＢ−Ｙ）を受け、偏向及び表示ユニット２６に色成分ＲＧＢ（赤、青及び緑）信号を供給する。ユニット２６は印加された信号のフィールドレートを検出し、ＮＴＳＣ及びＰＡＬ−Ｍ方式の信号に対し５２５ライン６０フィールドのレートで走査し、ＰＡＬ−Ｎ方式の信号に対し６２５ライン５０フィールドのートで走査する。或いは、表示走査レートは必要があれば遠隔制御ユニット１４によるユーザ制御下で受像機制御ユニット１２によって選択してもよい。
【００１６】
ＲＦ信号源の受信は、アンテナ、ケーブル又は別の適当なＲＦ信号源への接続用のＲＦ入力コネクタ３０と、画像プロセッサ１０に設けられたＩＦ増幅器・ビデオ検波器・ＡＧＣ（自動利得制御）ユニット３４の入力端子３２にＩＦ（中間周波）信号を供給するため接続された出力とを有するチューナ２８によって容易に行われる。ユニット３４は、ベースバンド複合ビデオ出力信号Ｓ１を得るためＩＦ信号を増幅し、ベースバンドに復調し、ベースバンド信号レベルのＡＧＣ制御を生ずる。プロセッサ１０は、既にベースバンド複合ビデオ形式であるビデオ入力信号Ｓ２を受ける補助ビデオ入力端子３６を更に含む。信号源選択スイッチ２４は、バス２０の制御下で、複合ビデオ信号Ｓ１又はＳ２を選択し、更なる処理のため選択された複合ビデオ信号Ｓ３を出力端子３８に印加する。上記更なる処理は、選択された信号Ｓ３がＰＡＬ形式のフォーマットである場合には、以下に説明する如くのコード変換及び遅延補償を含む。
【００１７】
テレビジョン画像プロセッサ１０は、通常目的の使用時にＮＴＳＣ方式の色標準規格のビデオ信号を処理するため設計され、かかる標準規格に対する遅延補償を含む。特に、プロセッサ１０において、入力４０におけるルミナンス入力信号は、クロミナンス信号トラップ回路４２と補償遅延素子４４とを介してルミナンス信号プロセッサ１６に印加される。素子４４の遅延は制御バス２０を介して調節可能である。画像プロセッサ１０の通常の使用時に、たとえ信号分離器がプロセッサ１０内のクロミナンストラップ４２とクロミナンス帯域通過フィルタ５２に起因する遅延を伴なう複合ビデオ信号をその色成分の部分に最初に分離するため使用されるとしても、素子４４の遅延は差分的なルミナンス及びクロミナンス信号の遅延を補償するため調節される。
【００１８】
図１の受像機において、遅延素子４４の遅延は、ルミナンス信号が入力５０におけるクロミナンス入力信号を画像プロセッサ１０内のクロミナンス信号プロセッサ１８に結合するクロミナンス信号帯域通過フィルタ５２の遅延に実質的に一致する正味の遅延を（遅延４４及びトラップ４２を通って）端子４０とプロセッサ１６の入力との間で加えられるよう設定される。従って、上述の如く調節された遅延素子４４がある場合に、テレビジョン画像プロセッサ１０の入力４０及び５０で時間的に一致したルミナンス及びクロミナンス信号は、プロセッサ１０のルミナンスプロセッサ１６及びクロミナンスプロセッサ１８の夫々の入力に印加される際に更に時間的に一致させられる。
【００１９】
図１の受像機の残りの素子は、ＰＡＬ方式のフォーマットの受信信号に対しコード変換を提供し、受信されたテレビジョンフォーマットとは無関係に、その上、一のテレビジョン標準規格から別の標準規格に変わる際にルミナンス信号パスの如何なる切り替えも必要とすることなく画像プロセッサ１０の入力４０及び５０に印加されたルミナンス及びクロミナンス成分を確実に時間的に一致させる遅延補償を提供する点が重要である。上述の如く、かかる遅延補償によって、例えば、直流シフトに起因する明度レベルの変化、及び、スイッチング過渡現象、スイッチ制御信号フィードスルー等により生ずる可能性のあるアーティファクトの如くの問題の起因になり得ることが回避される利点が得られる。
【００２０】
より詳細には、ＮＴＳＣ方式のフォーマットの受信信号に対し、（テレビジョン画像プロセッサ１０内のビデオスイッチ２４によって選択される）複合ビデオ信号Ｓ３は遅延素子６０によって遅延させられ、遅延補償信号Ｓ４は画像プロセッサ１０のルミナンス入力４０及びクロミナンス入力５０に印加される。これは、上記本発明の一実施例において、遅延した複合ビデオ信号Ｓ４をプロセッサ１０のルミナンス入力４０に直接印加し、遅延した複合ビデオ信号Ｓ４をモード制御スイッチ６２を介してプロセッサ１０のクロミナンス入力５０に印加することによって容易に行われる。上記スイッチは、ＮＴＳＣ方式の動作モードにおいて、複合ビデオ信号Ｓ４を画像プロセッサ１０のクロミナンス信号入力に結合する回路パスを完成させるため閉じる。逆に、ＰＡＬ方式のモードにおいて、「スイッチオフされた」又は（ＰＡＬ方式の信号をコード変換することにより得られた）ＮＴＳＣ方式のフォマートのクロミナンス信号をクロミナンス入力５０に結合する。
【００２１】
本発明の一実施例において、遅延した複合ビデオ信号Ｓ４は遅延素子６０により加えられた遅延の他にも処理を施される。特に、遅延した後に、信号Ｓ４は、画像プロセッサ１０の入力に印加される前にＰＡＬ復号化回路１００（点線で輪郭を描かれている）内で増幅され、クランプされる。ＮＴＳＣ方式の動作モードを想定する限りにおいて、バッファリング又はクランプを施すために複合信号を復号化器に通すことは不可欠ではない。その理由は、ＮＴＳＣ方式の受信のために復号化器は使用されず、ＮＴＳＣ方式のモードにおいて復号化器をバイパスし得るからである。図１の一実施例に利用される具体的な復号化器（例えば、ソニー社製のＣＸＡ１２１８形）は、ルミナンス入力端子１０８と出力端子１１０との間のパスに増幅器（１０２，１０４）及びクランプ１０６として表わされている。かかるパスは、従来の復号化器の集積回路の適用の際に通常はルミナンス信号用として考えられているが、本発明の一実施例においては、複合ビデオ信号Ｓ４の増幅及びクランプに使用され、これにより、全体の回路が簡単化されている。
【００２２】
上述の如く、遅延した複合ビデオ信号は、その信号を復号化器ＩＣの中に通すこと、或いは、別個の増幅器とクランプ回路を設けることの何れによっても増幅することができる。一定の画像プロセッサの場合には、増幅とクランプを設ける必要がない場合があり、かかる場合には、上記素子を取り除いてもよい。ルミナンス及びクロミナンス信号の時間的な一致を考慮する際に重要なことは、両方の信号が同じ遅延を受けることである。ＮＴＳＣ方式モードの場合に、ルミナンス及びクロミナンスの両方の信号は、複合（即ち、組み合わされた）形式をなすので、それらは遅延素子６０によって遅延させられるとき、同一に遅延し、画像プロセッサ１０の入力４０及び５０に印加される際に適当な時間的な一致が得られる。
【００２３】
ＰＡＬ方式のフォーマットの受信信号に対し、スイッチ６２は（図示される位置に）スイッチングされ、遅延した複合信号Ｓ４は画像プロセッサ１０のルミナンス入力４０だけに印加される。受信信号Ｓ３のクロミナンス成分Ｃ１は、クロミナンス信号帯域通過フィルタ７０を用いて遅延のない複合ビデオ信号Ｓ３から分離される。分離したクロミナンス信号Ｃ１は、ＰＡＬ方式からＮＴＳＣ方式へのトランスコーダ８０（点線で輪郭を描かれている）によって、ＮＴＳＣ方式のフォーマットのクロミナンス信号Ｃ２にコード変換され、複合信号遅延素子６０を通ることなく画像プロセッサ１０のクロミナンス入力５０に印加される。複合ビデオ信号に対する遅延素子６０の遅延は、正味のコード変換遅延（例えば、フィルタ７０の遅延とトランスコーダ８０の遅延の和）に一致するよう選択される。従って、ＰＡＬ方式のフォーマットの受信信号のルミナンス及びクロミナンス成分は、画像プロセッサ１０の入力に印加される際に同一に遅延させられる。
【００２４】
前述の２例の動作から、遅延素子６０によってルミナンス成分に加えられる遅延は一定であり、何れのフォーマット（ＮＴＳＣ方式又ＰＡＬ方式）の信号に対しても同じ値であるので、一方のフォーマットから他方のフォーマットに変わるときにルミナンスパス内の遅延素子をスイッチングする必要はないことに注意が必要である。不所望なスイッチングアーティファクト（例えば、直流オフセット又は過渡状態の影響）が回避される利点が得られる。
【００２５】
ＰＡＬ−Ｍ及びＰＡＬ−Ｎ動作モードで使用されるＰＡＬ方式からＮＴＳＣ方式へのトランスコーダ８０の詳細を検討するに、かかるトランスコーダ８０は、縦続に接続されＰＡＬ方式の信号（Ｍ又はＮ）をベースバンド（Ｒ−Ｙ，Ｂ−Ｙ）に復調しベースバンド信号をＮＴＳＣ方式のクロミナンス副搬送波周波数に再変調するＰＡＬ復号化器１００（点線で輪郭が描かれている）及びＮＴＳＣ符号化器１３０を含む。復号化器１００及び符号化器１３０として使用するのに適する集積回路は、ソニー社製のＣＸＡ１２１８形及びＣＸＡ１２１９形の集積回路装置である。ＰＡＬ復号化器集積回路１００は、上述の（例えば、１０２−１１０）ルミナンス信号パスを含み、かかる信号パスは、本発明の一実施例において、遅延した複合ビデオ信号Ｓ４に対し増幅とクランプを施す。クロマ（クロミナンス）復調のため、集積回路は同期分離回路１１２及びクランプ回路１１４を介して遅延した復号ビデオ信号Ｓ４から同期信号を受けるクロマ復調部１２０を含む。フィルタ７０により得られる帯域通過フィルタリングされたクロミナンス信号Ｃ１は、増幅器１１６で増幅され、クロマ復調器１２０に供給される。復調器１２０は、発振器周波数を制御するＰＡＬ−Ｎ方式用水晶発振器１２３又はＰＡＬ−Ｍ方式用水晶発振器１２４の中から適当な一方を選択するスイッチ１２２によって、ＰＡＬ−Ｍ方式の周波数又はＰＡＬ−Ｎ方式の周波数で動作するよう設定された色発振器を含む。
【００２６】
別のスイッチ１２５は、増幅器１１６により供給されるビデオ信号をＰＡＬ−Ｍ方式及びＰＡＬ−Ｎ方式標準規格で１ライン分遅延させる二つのＰＡＬ方式１ライン（１−Ｈ）遅延線１２６及び１２７の中から適当な一方を選択する。１−Ｈ遅延した信号は、引き続く「Ｖ」成分の「スイッチオフ」を容易化するためＵ及びＶ成分を分離する復調器１２０で使用され、かくして、ベースバンドＲ−Ｙ及びＢ−Ｙ形式への復調を可能にする。遅延のスイッチングは、（例えば、ＰＡＬ−Ｍの６３．４８６マイクロ秒に対し、ＰＡＬ−Ｎ方式の６３．９３０マイクロ秒の如く）ＰＡＬ−Ｎ方式のライン周期はＰＡＬ−Ｍ方式のライン周期よりも約０．４４４マイクロ秒長いという上記二つのビデオ標準規格におけるライン周期の違いを許容する。
【００２７】
水晶発振器スイッチ１２２及びライン遅延スイッチ１２５の制御は、ユーザによる受信信号の選択に応じて受像機制御ユニット１２により与えてもよい。かかる本発明の一実施例において、自動制御がスイッチ１２２及び１２５と、表示装置の走査レート（偏向）を制御するフィールドレート指標信号（「Ｍ／Ｎ」で示される）を発生するビデオ表示ユニット２６により得られる。Ｍ形のＰＡＬ方式信号は、（ＮＴＳＣ−Ｍ方式と同様に）５２５ライン、６０Ｈｚのフィールドレートであり、一方、Ｎ形のＰＡＬ方式信号は、前述の如く６２５ライン、５０Ｈｚのフィールドレートを有するので、上記指標信号は「Ｍ／Ｎ」信号と呼ばれる。従って、フィールドレートを検出することにより、Ｍ及びＮ形の信号のフォーマットは識別され、スイッチ１２２及び１２５は適当な水晶発振器及びライン遅延を選択するため自動的に制御することが可能である。
【００２８】
選択されたＰＡＬ信号をベースバンドに変換した後に、分離器１１２により得られる同期信号と、ベースバンド成分の色差信号Ｒ−Ｙ及びＢ−Ｙは、クロミナンス信号をＮＴＳＣ方式標準規格色搬送波上に再変調するＮＴＳＣ方式符号化器集積回路１３０に供給される。この目的に適当である集積回路はソニー社製のＣＸＡ１２１９形である。クロミナンス信号帯域の外側に生じる変調の結果の部分は、クロミナンス信号帯域通過フィルタ１３２で除去することが望ましい。かかるフィルタによりトランスコーダ８０のコード変換遅延の本質的な要因が現われる。ＰＡＬ方式の標準規格信号に対する全コード変換遅延は、帯域通過フィルタ７０の遅延を更に含む。（遅延していない）複合ビデオ信号Ｓ３からコード変換すべきクロミナンス信号Ｃ１を分離する。ＰＡＬ方式のフォーマットの信号に対しルミナンス成分とクロミナンス成分の同一の遅延を保証するため、素子６０の遅延は全コード変換遅延に一致するよう選択される。ＮＴＳＣ方式の処理に関しユニット６０の遅延は重要ではない。その理由は、かかる受信モードにおいてルミナンス成分及びクロミナンス成分の両方は、上記ユニット６０の中を通り、同一に遅延されるからである。
【００２９】
ＰＡＬ方式モードにおいてＰＡＬ方式に変換されたクロミナンス信号の選択はスイッチ６２により得られる。ＰＡＬ−Ｍ方式とＮＴＳＣ方式の識別はフィールドレート（ＮＴＳＣ方式及びＰＡＬ−Ｍ方式の６０Ｈｚに対しＰＡＬ−Ｎ方式の５０Ｈｚ）の検出によって行われることを想起する必要がある。ＰＡＬ−Ｍ方式とＮＴＳＣ方式を識別するためには、走査レートが同一であるので別の測定を使用する必要がある。本発明のかかる一実施例において、ＰＡＬ−Ｍ方式とＮＴＳＣ方式の識別はＰＡＬ復号化器１００の端子１４２に供給された色中和器（キラー）信号を基準電圧Ｖｔと比較するヒステリシス閾値検出器１４０により得られる。かかる比較の結果により、ＰＡＬ復号化器の色中和器が「無色」を示す場合にＮＴＳＣ方式モードを選択し、それ以外の場合にＰＡＬ方式モードを選択するようスイッチ６２を制御する。上記自動選択が特定の受像機の適用に望ましくない場合には、上記の選択は受像機遠隔制御ユニット１４からのユーザの起動命令に応じて受像機制御ユニット１２によって手動的に行ってもよい。
【００３０】
図２、３及び４は、ＰＡＬ方式とＮＴＳＣ方式の動作モード間で変わるときに受信信号のルミナンス信号成分をスイッチングすることなく適当なルミナンス−クロミナンス信号の時間的な一致を保証する遅延補償を生ずる図１の例に使用される三通りの回路パスの時間的な関係を示す。
図２は複合ビデオ信号を画像プロセッサのルミナンス入力に結合する第１の回路パス２０２の遅延を示す。このパスはＮＴＳＣ方式動作モードと二通りのＰＡＬ方式動作モードの両方で利用される。図示する如く、端子３８で供給される複合ビデオ信号Ｓ３は、遅延６０と、増幅器及びクランプ１０２−１０６とを介して画像プロセッサ１０の入力４０に結合される。プロセッサ１０内において、ルミナンス信号は、クロミナンス信号の「トラップ」又は「ノッチ」フィルタ４２と、補償遅延４４とを介してルミナンス信号プロセッサ１６に結合される。説明の便宜上、端子３８と４０の間の遅延は、時間遅延Ｔｄ−１と呼ばれ、端子４０（画像プロセッサユニット）とルミナンスプロセッサ１６との間の遅延は時間遅延Ｔｄ−２と呼ばれる。
【００３１】
図３を参照するに、ＮＴＳＣ方式モードだけに対し端子３８の複合ビデオ信号Ｓ３はライン６０によって更に遅延され、遅延した複合信号Ｓ４は、増幅器及びクランプ回路１０２−１０６と、スイッチ６２を介して画像プロセッサ１０のクロミナンス入力に印加される。かかる遅延は時間遅延Ｔｄ−３と呼ばれる。クロミナンス信号帯域通過フィルタ５２は、遅延した複合ビデオ信号Ｓ４からクロミナンス成分を分離し、クロミナンスプロセッサ１８に送る。フィルタ５２の時間遅延はＴｄ−４によって示される。
【００３２】
ＮＴＳＣ方式モードに対する時間的遅延補償は、Ｔｄ−２をＴｄ−４に一致するよう調節することによって得られる。これ以上必要とされることはない。上記の調節は、画像プロセッサ１０のユニット４４の遅延を設定する受像機制御ユニット１２を利用して容易に行われる。第１の信号パス２０２の遅延は第２の信号パス３０３の遅延に実質的に同一、即ち、Ｔｄ−１＝Ｔｄ−３であるので、ＮＴＳＣ方式動作モードでこれ以上の遅延補償は必要とされない。上記の如く遅延が同一であるのは、上記パスの間の差が生じるのはスイッチ６２だけであり、かかるスイッチは実質的に遅延を生じないからである。従って、ＮＴＳＣ方式動作モードに対しユニット６０の遅延がどうであるかは特に問題ではない。
【００３３】
遅延素子６０の遅延は、図４に示すＰＡＬ方式動作モードにおいて重要になる。同図にはクロミナンス信号をＰＡＬ方式モードのクロミナンスプロセッサ１８のクロミナンス入力に結合する第３の回路パス４０４が示されている。図示する如く、端子３８の複合ビデオ信号は、クロミナンス帯域通過フィルタ７０と、トランスコーダ８０と、モードスイッチ６２を介して画像プロセッサ１０の入力５０に結合される。かかるパスの遅延はＴd−５によって示される。Ｔd−５に一致するよう複合ビデオ信号パス（第１のパス２０２）の遅延を選択することにより、ルミナンス及びクロミナンス成分は、ＰＡＬ方式モードの画像プロセッサ１０の夫々の入力に達する際に両方とも同一に遅延させられる。一旦上記の遅延が設定されると、ルミナンス及びクロミナンス成分は、ＮＴＳＣ方式からＰＡＬ方式、或いは、その逆に変わる際に、ルミナンス成分をスイッチングする必要なくあらゆる入力ビデオ信号フォーマットに対し同一である。
【００３４】
図５には、過渡応答と、ルマ（ルミナンス）／クロマ（クロミナンス）の分離を改善するため図１の受像機の２箇所を変形した例が示されている。特に、比較的広く使用される特定の画像プロセッサに対しルミナンス信号の過渡現象はプロセッサ１０内のクロミナンス帯域通過フィルタ５２をオーバードライブさせる傾向があることが分かっている。その上、使用される特定の画像プロセッサに対し、集積回路に設けられたフィルタ４２及び５２に亘る補助的なルマ／クロマ分離のあることが望ましい。多重モード受信を想定する限り、ルミナンス及びクロミナンス信号処理パスの遅延特性の妥協をすることなく、改良された分離と過渡応答を得ることは困難である。例えば、クロミナンス信号チャンネルに実質的な量の非補償遅延が導入されていない場合にクロミナンス信号を帯域通過フィルタリングするだけでは、クロミナンスの過渡現象の問題を解決し得ない。
【００３５】
図５の実施例によれば、上記の問題の解決法は、スイッチ６２の出力とプロセッサ１０のクロミナンス入力５０の間の点でクロミナンス信号パスに高域通過フィルタ５００を介在し、プロセッサ１０のルミナンス入力４０にクロミナンスのトラップ又は「ノッチ」フィルタ５１０を介在させることである。上記高域通過フィルタは、スイッチ６２と端子５０の間に接続された直列容量５０４と、端子５０と接地との間に接続された分流抵抗５０２とからなる。クロミナンス信号に対し帯域通過フィルタではなく高域通過フィルタを使用する理由は、高域通過フィルタの示す遅延は比較的無視し得るからである。導入された小さい遅延は、ルミナンスパスに追加されたトラップフィルタ５１０の位置によって平衡化される。
【００３６】
フィルタ５１０のトラップ又はノッチの深さは、例示的には、ルミナンス信号は画像プロセッサ内でフィルタリングされるのでかなり抑えられる。例えば、受像機の一実施例において、使用される画像プロセッサのルミナンス・クロミナンス分離は、約２０ｄＢのオーダであることが分かった。５ｄＢのかなり「浅い」トラップ深さにより、正味の２５ｄＢの分離が得られ、ルミナンス・クロミナンスのクロストークの影響によるすべての視覚的アーティファクトを抑圧するため適当であることが分かった。ルミナンス信号パスの過剰なクロミナンスの減衰は、クロミナンス信号に相対的に過剰な遅延を発生させ、時間的な一致の誤差が生じることに注意が必要である。上述の如く、著しい遅延を導入することなくクロストークの可視性を最小限に抑えるためトラップ４２により得られるノッチの深さを補完する「適度な」ノッチの深さが必要とされる。
【００３７】
図６、７及び８は、先に説明した３通りの主な回路パス２０２、３０３及び４０４の時間的遅延の影響を例示する。前述と同様に、時間遅延Ｔｄ−２は、画像プロセッサ１０の遅延４４を調節することによりＴｄ−４と実質的に同一に設定される。第１の回路パスのトラップ５１０と、第２及び第３の回路パスの高域通過フィルタ５００の遅延は、前述の理由（即ち、トラップは適度な深さをなし、フィルタ５００は帯域通過形とは異なる高域通過ＲＣ形であること）によって無視することが可能である。従って、すべての実際的な目的に対し時間遅延Ｔｄ−１、Ｔｄ−３及びＴｄ−５は同一であり、これにより、ルミナンス及びクロミナンス成分は、画像プロセッサ１０の入力端子４０及び５０に現われる際に同一に遅延する。その上、ルミナンスパスにクロストーク抑圧フィルタ５１０を含み、クロミナンスパスに過渡状態抑圧フィルタ５００を含むことは、一の動作モードから別の動作モードに変わる際にルミナンス信号のスイッチングを回避するシステム全体の所望の位相関係と抵触しないことに注意が必要である。
【００３８】
図９は、コストを低減し色コード変換の信頼性を改良する図５の受像機の他の一例を示す図である。特に、同図において、先の例ではトランスコーダ８０にあるＰＡＬ−Ｎ方式遅延線１２７は取り除かれ、４４４ナノ秒の遅延を有する群遅延等化器９００によって置換されている。等化器の入力はＰＡＬ−Ｎ方式信号を受けるため接続され、等化器の出力は得られるＰＡＬ−Ｍ方式信号を１−Ｈ遅延線スイッチ１２５に与えるため接続される。ＰＡＬ−Ｍ方式標準規格における１ラインの周期はＰＡＬ−Ｎ方式標準規格の１ラインの周期に非常に接近していることを想起する必要がある。その上、本発明の目的のためにコード変換されるすべてがクロミナンス信号であることを想起する必要がある。従って、本発明の受像機において、副搬送波周波数に合わされ、ＰＡＬ−Ｍ方式とＮ方式の標準規格の差（例えば、４４４ナノ秒）に一致する正味の遅延に対し調節された群遅延等化器でＰＡＬ−Ｍ方式の１−Ｈ遅延線を置換することが可能である。
【００３９】
等化器９００は、クロミナンス信号Ｃ２を受けるため接続された入力と、（図中、小さい円「○」で示される）反転及び非反転出力とを有する増幅器９０２からなる。増幅器９０２は、例示的には、バイポーラ或いは電界効果トランジスタから構成してもよい。バイポーラトランジスタの場合に入力はベースであり、反転出力はコレクタ負荷抵抗から取り出され、非反転出力はエミッタ抵抗から取り出される。電界効果トランジスタが使用される場合に対応する電極は、ゲート、ドレイン及びソースである。増幅器９０２の非反転出力は抵抗Ｒを介してスイッチ１２５の入力に接続される。かかる抵抗はクロミナンス信号Ｃ２に印加される遅延等化の大きさを定める。増幅器９０２の反転出力は、インダクタンスＬと容量Ｃの直列結合を介してスイッチ１２５の入力に接続される。群遅延が最も大きくなる周波数を定めるこれらの素子は、遅延のピークが必要とされる所望の周波数に合わされる。上記の例の場合に、ＰＡＬ方式信号の中の色成分だけがトランスコーダで処理されるので、上記素子はＰＡＬ方式の色副搬送波周波数に合わされる。従って、上記の適用例の場合に、図示する如くの群遅延等化器で漸増的な遅延を提供することにより多重の遅延線の必要性が回避される。
【００４０】
【発明の効果】
ルミナンス信号を切り替えることなくルマ／クロマ遅延補償を得ることは多数の有益な効果を有する利点がある。例えば、一つの利点は、場合によってはモード間の切り替えの際に不所望な視覚的アーティファクト（例えば、輝度変化）を生ずる可能性のあるルミナンス信号の直流レベルを変えるためスイッチオフセット電圧の電位を低下させることである。その上、フィードスルー及びスイッチングの過渡現象の如くの不所望なスイッチングの影響は除去される。他の利点には、（部品数の削減に起因する）信頼性の改善と、コストの低減とがある。
【図面の簡単な説明】
【図１】本発明の一実施例の多重規格適合テレビジョン受像機の部分的に系統的な形のブロック図である。
【図２】図１の受像機の第１の回路パスの相対的な信号遅延時間を示す略ブロック図である。
【図３】図１の受像機の第２の回路パスの相対的な信号遅延時間を示す略ブロック図である。
【図４】図１の受像機の第３の回路パスの相対的な信号遅延時間を示す略ブロック図である。
【図５】図１の多重規格適合テレビジョン受像機の他の例を示す部分的に系統的な形のブロック図である。
【図６】図５の受像機の第１の回路パスの相対的な信号遅延時間を示す略ブロック図である。
【図７】図５の受像機の第２の回路パスの相対的な信号遅延時間を示す略ブロック図である。
【図８】図５の受像機の第３の回路パスの相対的な信号遅延時間を示す略ブロック図である。
【図９】図５の多重規格適合テレビジョン受像機の他の例を示す部分的に系統的な形のブロック図である。
【符号の説明】
１０    画像プロセッサ
１２    受像機制御ユニット
１４    遠隔制御ユニット
１６    ルミナンスプロセッサ
１８    クロミナンスプロセッサ
２０    制御バス
２２    マトリックス
２４    ビデオ信号選択スイッチ
２６    偏向及び表示ユニット
２８    チューナ
３０    ＲＦ入力コネクタ
３２    入力端子
３４    ＩＦ増幅器・ビデオ検波器・ＡＧＣユニット
３６    補助ビデオ入力端子
３８    出力端子
４０    ルミナンス入力
４２    クロミナンス信号トラップ回路
４４    補償遅延素子
５０    クロミナンス入力
５２，１３２    クロミナンス帯域通過フィルタ
６０    複合ビデオ信号遅延器（遅延素子）
６２    クロミナンス信号選択スイッチ（モード選択スイッチ）
７０    クロミナンス信号伝送フィルタ
８０    クロミナンス信号トランスコーダ（ＰＡＬからＮＴＳＣへ）
１００    ＰＡＬ復号化回路
１０２，１０４，９０２    増幅器
１０６，１１４    クランプ
１０８    ルミナンス入力端子
１１０    ルミナンス出力端子
１１２    同期分離回路
１１６    増幅器
１２０    クロマ復調器
１２２    水晶発振器スイッチ
１２３    ＰＡＬ−Ｎ方式用水晶発振器
１２４    ＰＡＬ−Ｍ方式用水晶発振器
１２５    ライン遅延スイッチ
１２６    ＰＡＬ−Ｍ方式１ライン遅延線
１２７    ＰＡＬ−Ｎ方式１ライン遅延線
１３０    ＮＴＳＣ符号化器
１４０    ヒステリシス閾値検出器
１４２    ＰＡＬ復号化器端子
２０２    第１の回路パス
３０３    第２の回路パス
４０４    第３の回路パス
５００    高域通過フィルタ
５０２    分流抵抗
５０４    直列容量
５１０    ノッチフィルタ
９００    群遅延等化器
【図１】
0003662290.tif 000002
【図２】
0003662290.tif 000003
【図３】
0003662290.tif 000004
【図４】
0003662290.tif 000005
【図５】
0003662290.tif 000006
【図６】
0003662290.tif 000007
【図７】
0003662290.tif 000008
【図８】
0003662290.tif 000009
【図９】
0003662290.tif 000010